(57)【要約】【課題】  機密情報は、特定のユーザしか見ることができないが、機密でない情報は、他のユーザが見ることが出来る液晶ディスプレイを有効利用する。  【解決手段】  ２画面液晶ディスプレイ(9, 30)は、その両側に液晶パネルを有するディスプレイ筐体(10, 36)と、ディスプレイ筐体 (10, 36)を支持する支持部(6)とを有する。液晶パネルの一方が、裸眼ではその表示画面が視覚不能である特殊液晶パネル(12)で、液晶パネルの他方が、裸眼でその表示画面が視覚可能である通常液晶パネル(22)である。特殊液晶パネル(12)と通常液晶パネル(22)には、同一画面が表示される。さらに、２画面液晶ディスプレイ(9,30)は、通常液晶パネル(22)を覆うことが可能な不透明な材料からなる遮蔽ボード(24, 34)と、特殊液晶パネル(12)の画面を可視化させる偏光フィルタを有する可視化手段(14,16, 17)とを有する。  【選択図】    図１Ａ
2004280042.tif 000002
【特許請求の範囲】
【請求項１】
その両側に液晶パネルを有するディスプレイ筐体(10, 36)と、前記ディスプレイ筐体 (10, 36)を支持する支持部(6)とを有する液晶ディスプレイ(9)であって、
前記液晶パネルの一方が、裸眼ではその表示画面が視覚不能である特殊液晶パネル(12)で、前記液晶パネルの他方が、裸眼でその表示画面が視覚可能である通常液晶パネル(22)であり、かつ
前記特殊液晶パネル(12)と前記通常液晶パネル(22)には、同一画面が表示され、かつ
前記通常液晶パネル(22)を覆うことが可能な不透明な材料からなる遮蔽ボード(24, 34)と、前記特殊液晶パネル(12)の画面を可視化させる偏光フィルタ(15)を有する可視化手段(14,16, 17)とを有する、
液晶ディスプレイ(9, 30)。
【請求項２】
前記ディスプレイ筐体(10, 36)が、前記支持部(6)の中心軸(7)に関し回転可能に支持されている請求項1に記載の液晶ディスプレイ(9, 30)。
【請求項３】
前記ディスプレイ筐体(10, 36)に、前記遮蔽ボード(24, 34)を挿入するための遮蔽ボード挿入口(26)を設けた請求項1または2に記載の液晶ディスプレイ(9,30)。
【請求項４】
前記遮蔽ボード挿入口(26)に蓋(13B)を設けた請求項3に記載の液晶ディスプレイ(9, 30)。
【請求項５】
前記可視化手段が、可視化ボード(14)である前記請求項の何れかに記載の液晶ディスプレイ(9, 30)。
【請求項６】
前記ディスプレイ筐体(10, 36)に、前記可視化ボード(14)を挿入するための可視化ボード挿入口(20)を設けた前記請求項の何れかに記載の液晶ディスプレイ(9,30)。
【請求項７】
前記可視化ボード挿入口(20)に蓋(13A)を設けた請求項６に記載の液晶ディスプレイ(9, 30)。
【請求項８】
前記可視化手段が、可視化メガネ(16)である請求項1〜４の何れかに記載の液晶ディスプレイ(9, 30)。
【請求項９】
前記可視化手段が、可視化カード(17)である請求項1〜４の何れかに記載の液晶ディスプレイ(9, 30)。
【請求項１０】
前記特殊液晶パネル(12)が、タッチパネルである前記請求項の何れかに記載の液晶ディスプレイ(9, 30)。
【請求項１１】
前記通常液晶パネル(22)が、タッチパネルである前記請求項の何れかに記載の液晶ディスプレイ(9, 30)。
【請求項１２】
前記請求項の何れかに記載の液晶ディスプレイ(9, 30)を有するノートパソコン。
【発明の詳細な説明】
【技術分野】
【０００１】
本発明は、特定のユーザしか見ることが出来ない機密情報が含まれる画面と、全てのユーザが見ることが出来る画面とを表示する液晶ディスプレイに関する。
【背景技術】
【０００２】
従来、たとえば特許文献1には、裸眼で見ると画面は真っ白で何も見えないが、特殊仕様の偏向フィルタを含む可視化媒体を用いると、その表示画面を見ることが出来る液晶パネル（以下、「特殊液晶パネル」と称する。）がある。特殊液晶パネルには、たとえば、株式会社IDKによって製造されている商品名「PPTディスプレイ(PictureProtect Technology)」がある。
【０００３】
ここで、特殊液晶ディスプレイは、裸眼で見ると画面の表示内容が見えないため、表示内容の秘匿性を担保できるという性質がある。しかし、たとえば、可視化媒体を液晶ディスプレイ全面に装着すれば、液晶ディスプレイ周辺にいる人すべてが表示画面を見ることができるので、秘匿性がそがれ、折角の特殊液晶パネルの利点が活かされない場合がある。このため、秘匿性を担保可能な可視化媒体が要求される。また、可視化媒体の未使用時の保管先をどのように確保するかという課題もある。さらに使用用途の拡大も望まれている。
【０００４】
そこで、本発明は、特殊液晶パネルを有効利用することを課題とする。
【０００５】
【特許文献１】特願2002-212856
【発明の開示】
【課題を解決するための手段】
【０００６】
上記課題を解決するために、本発明は、その両側に液晶パネルを有するディスプレイ筐体(10, 36)と、前記ディスプレイ筐体 (10, 36)を支持する支持部(6)とを有する液晶ディスプレイ(9)であって、前記液晶パネルの一方が、裸眼ではその表示画面が視覚不能である特殊液晶パネル(12)で、前記液晶パネルの他方が、裸眼でその表示画面が視覚可能である通常液晶パネル(22)であり、かつ前記特殊液晶パネル(12)と前記通常液晶パネル(22)には、同一画面が表示され、かつ前記通常液晶パネル(22)を覆うことが可能な不透明な材料からなる遮蔽ボード(24,34)と、前記特殊液晶パネル(12)の画面を可視化させる偏光フィルタ(15)を有する可視化手段(14, 16, 17)とを有する。
【０００７】
この2画面液晶ディスプレイは、特殊液晶パネルと通常液晶パネルを有している。これらの液晶パネルには、同一画面が表示されるが、特殊液晶パネルに表示される画面は、可視化手段を使用しない限り、見ることは出来ない。可視化手段を有する特定のユーザは、特殊液晶パネルに表示される機密情報を見る。他方、同じ画面が、通常液晶画面にも表示されているので、これは遮蔽ボードにより隠す。このようにして、特定のユーザしか機密情報を見ることができず、他のユーザは機密でない情報しか見ることが出来ない、2画面液晶ディスプレイが得られる。この2画面液晶ディスプレイにおいては、特殊液晶パネルと通常液晶パネルには、同一画面が表示されるので、複数の画面を表示させる場合に比較して、回路などの構成が簡単になる。
【０００８】
前記ディスプレイ筐体(10, 36)が、前記支持部(6)の中心軸(7)に関し回転可能に支持されていてもよい。前記ディスプレイ筐体(10, 36)に、前記遮蔽ボード(24,34)を挿入するための遮蔽ボード挿入口(26)を設けてもよい。なお、前記遮蔽ボード挿入口(26)に蓋(13B)を設けることもできる。前記可視化手段が、可視化ボード(14)である。
【０００９】
前記ディスプレイ筐体(10, 36)に、前記可視化ボード(14)を挿入するための可視化ボード挿入口(20)を設けてもよい。なお、前記可視化ボード挿入口(20)に蓋(13A)を設けることもできる。
【００１０】
前記可視化手段が、可視化メガネ(16)あるいは、可視化カード(17)であってもよい。前記特殊液晶パネル(12)あるいは、前記通常液晶パネル(22)が、タッチパネルであってもよい。この場合、キーボードを省略することも出来る。
【００１１】
また、本発明のノートパソコンは、上記記載の液晶ディスプレイ(9, 30)を有する。前記2画面液晶ディスプレイを有するノートパソコンは、携帯可能であるので、外交員が、出先で顧客と商談を進める際に有効である。
【実施例】
【００１２】
実施例１
本発明によるデスクトップ型の2画面液晶ディスプレイを、その正面斜視図1Aと背面斜視図1Bにより説明する。正面斜視図1Aに示すように、この2画面液晶ディスプレイ9は、ディスプレイ筐体10と、ベース8と、ベース8にディスプレイ筐体10を回転可能に支持する支持部6とを有し、ディスプレイ筐体10の前面には、特殊液晶パネル12が、その背面には、通常液晶パネル22（図1B参照）が設けられている。
【００１３】
この特殊液晶パネル12には、株式会社IDKによって製造されている商品名「PPTディスプレイ (Picture Protect Technology)」の液晶パネルが使用されている。この液晶パネルは、裸眼で見ると画面は真っ白で何も見えないが、特殊仕様の偏向フィルタ15からなる可視化ボード14,可視化メガネ16, 可視化カード17を使用すると、その表示画面を見ることが出来る液晶パネルである。
【００１４】
本発明の2画面液晶ディスプレイにおいては、特殊液晶パネル12と通常液晶パネル22には、同一画面が表示されるように構成されている。また、特殊液晶パネル12と通常液晶パネル22の何れかまたは両方を、タッチパネル兼用とすることも出来る。
【００１５】
ディスプレイ筐体10は、支持部6の中心軸7の周りに180°回転させることが出来る。
【００１６】
特殊液晶パネル12を正面から見たときのディスプレイ筐体10の右側面部には、可視化ボード挿入口20と、遮蔽ボード挿入口26とが、設けられている。可視化ボード挿入口20に可視化ボード14が、挿入されると、図1Cに示されるように、可視化ボード14と特殊液晶パネル12とが重なり合った部分18のみが、裸眼で見える状態になる。一方、不透明の材料からなる遮蔽ボード24を遮蔽ボード挿入口26に挿入すると、遮蔽ボード24により覆われる通常液晶パネル22の部分は、見えなくなる。
【００１７】
可視化ボード挿入口20と遮蔽ボード挿入口26には、可視化ボードと遮蔽ボードが挿入されていないときに、これらの挿入口を塞ぐための2枚の蓋13A, 13Bが、各々、設けられている。
【００１８】
尚、上述の例では、可視化ボード14と遮蔽ボード24を、ディスプレイ筐体10の右側面部から挿入する例を説明したが、可視化ボード14と遮蔽ボード24を、ディスプレイ筐体10の左側側面部または上面部に設けた挿入口から挿入させることも可能である。
【００１９】
更に、上述の説明では、可視化ボード14と遮蔽ボード24は、ディスプレイ筐体10の内側に位置しているが、それらを外側から特殊液晶パネル12と通常液晶パネル22に、各々、留めるようにすることも可能である。
【００２０】
次に、本発明による2画面液晶ディスプレイの使用法を、医療現場における使用を例に説明する。医者が、特殊液晶パネル12の表示画面を見、患者が、通常液晶パネル22の表示画面を見ているとする。医者が、癌に罹っているなどの患者にとって機密である情報を、患者に開示したくない場合、医者は、蓋13Bを開いて、遮蔽ボード挿入口26から遮蔽ボード24をディスプレイ筐体10の内側に挿入する。これにより、通常液晶パネル22が、遮蔽ボード24によって覆われてしまうので、患者は、通常液晶パネル22の表示画面を見ることが出来なくなる。医者は、可視化ボード14を、可視化ボード挿入口20から挿入する。図1Cに示すように、可視化ボード14を特殊液晶パネル12の表示させたい部分に重ね合わせることによって、特殊液晶パネルの表示部分18を見ることが出来る。周辺に人がいて、可視化ボード14を使用する方法では機密情報が見られてしまう場合には、医者は、可視化メガネ16または可視化カード17を使用する。この方法によれば、医者以外の者が画面を見ることは、不可能になる。従って、医者は、患者の機密情報が他人に知られることを心配することなく、特殊液晶パネル12の表示画面を見ながら、患者と対話することが出来る。
【００２１】
表示画面に患者にとっての機密情報が含まれていない場合には、通常液晶パネル22を覆っている遮蔽ボード24を、遮蔽ボード挿入口26から取り外し、医者は、可視化ボード14、可視化メガネ16、または可視化カード17を使用して、患者が見ている表示画面と同じ特殊液晶パネル12の画像表示を見ながら診断やカウンセリングを行うことが出来る。
【００２２】
実施例2
次に、図2を参照して、ノートパソコンに使用する本発明の2画面液晶ディスプレイを説明する。正面斜視図2Aに示すように、この2画面液晶ディスプレイ9は、ディスプレイ筐体36と、薄型のディスプレイ筐体36をノートパソコン本体38に回転可能かつ開閉可能に支持する支持部6とを有し、ディスプレイ筐体36の前面には、特殊液晶パネル12が、その背面には、通常液晶パネル22（図2B参照）が設けられている。
【００２３】
実施例2においては、実施例1の構成部品と同じものについては、同じ参照番号が付されている。したがって、それらの参照番号が付された構成部品については、再度の説明は行わない。
【００２４】
ディスプレイ筐体36は、支持部6の中心軸7の周りに180°回転させることが出来る。
【００２５】
また、可視化ボード14および／または遮蔽ボード34を、図2Dに示すように、ディスプレイ筐体36に外側から取り付けるようにすることも可能である。
【００２６】
次に、本発明による2画面液晶ディスプレイを備えるノートパソコン30の使用法を、保険外交員が、このノートパソコン30を顧客先に持参して商談を行う場合を例に説明する。まず、外交員は、ノートパソコン30を持ち運ぶために、可視化ボード14と遮蔽ボード34を、各々、可視化ボード挿入口20と遮蔽ボード挿入口26から挿入して、薄型のディスプレイ筐体36に収納する。次いで、可視化ボード14と遮蔽ボード34が、持ち運び時に飛び出してこないように、2枚の蓋13A,13Bを閉じる。
【００２７】
その後、薄型のディスプレイ筐体36を、ノートパソコン本体38に向かって倒し、かつ移動時にディスプレイ筐体36が開かないように、フック37で固定する。このとき、ノートパソコン30は、図2Cに示す形状となり、遮蔽ボード34は、ノートパソコンを保護する機能を果たす。
【００２８】
外交員が顧客先に到着すると、外交員と顧客は、向かい合った状態で席に着き、2人の間にノートパソコン30が置かれる。外交員は、フック37を外してディスプレイ筐体36を立て、ノートパソコン本体38に設けられた入力キー39がある側と、特殊液晶パネル12とを自分に向け、通常液晶パネル22を、顧客側に向ける。
【００２９】
外交員は、まず自社商品を説明するための画面を、両方の画面に表示する必要がある。外交員は、蓋13A, 13Bを手動で開き、顧客に向けられた通常液晶パネル22を覆っている遮蔽ボード34を、遮蔽ボード挿入口26からスライドさせて取り出す。これによって、顧客は、通常液晶パネル22の表示画面を見ることが可能となる。一方、外交員に向けられた特殊液晶パネル12には、可視化ボード14が、ディスプレイ筐体36に収められた状態で重なり合っているため、外交員はそのまま表示画面を見ることができる。
【００３０】
その後、商談がまとまり契約の段階となり、顧客が個人情報やパスワードなどの機密情報を、入力キー39を使用して画面に入力する必要が生じる。このとき、顧客の近くに人がいて、通常液晶パネル22に表示される個人情報が盗み見される危険性がある場合、この情報の機密性を保つために、顧客のみに画面を表示する必要がある。このために、遮蔽ボード34を遮蔽ボード挿入口26から挿入して、通常液晶パネル22を遮蔽ボード34により覆う。一方、可視化ボード14を可視化ボード挿入口20から取り外すと、特殊液晶パネル12は真っ白になり、その表示を見ることは不可能となる。
【００３１】
次に、ノートパソコン本体30の入力キー39がある側と、特殊液晶パネル12とを顧客に向ける。顧客は、偏向フィルタが設けられた可視化メガネ16または可視化カード17を用いて特殊液晶パネル12の画面を見ることが出来るが、顧客以外の者は、画面が真っ白なので、その表示を見ることは出来ない。この状態で、顧客は、自分の情報を他人に盗み見されることを心配することなく、自分の個人情報やパスワードなどの機密情報を入力キー39により入力することが可能となる。
【００３２】
また、より液晶ディスプレイの表示内容の秘匿性を向上させるために、可視化媒体のそれぞれに固有のID番号等を付すとともに、ID番号等を送信するためのRFID(RadioFrequency Identification)タグ、赤外線通信、ブルートゥースなどの第1無線部を備える。一方、液晶ディスプレイ側に、使用許諾対象の可視化媒体に付されているID番号等を記憶しておくメモリと、可視化媒体の使用に先立って第1無線部との間で無線通信を行いID番号等を取得するためのリーダライター等の第2無線部と、第2無線部で受信したＩＤ番号等とメモリに記憶してあるID番号等との認証を行う認証手段と、認証手段によってID番号等が相互に一致していると認証された場合に液晶ディスプレイの電源をオンする電源制御手段とを備えておく。
【００３３】
液晶ディスプレイの表示内容を見ようとする場合には、ユーザは、可視化媒体を液晶ディスプレイに近づける。すると、第1および第2無線部によって、可視化媒体に付されているID番号等を液晶ディスプレイ側で取得することができる。その後、認証手段による認証の結果、ID番号等が相互に一致している場合に、電源制御手段によって液晶ディスプレイの電源をオンする。
【００３４】
このように、可視化媒体の所有およびID番号等の認証という二重の確認を行わなければ、液晶ディスプレイの表示内容を見ることができないことになるので、より液晶ディスプレイの表示内容の秘匿性が向上する。
【００３５】
実施例3
図3は、本発明の実施例3の液晶ディスプレイの斜視図である。図4は、本発明の実施例3のノートパソコンの斜視図である。なお、図3，図4において、図1A,図2Aと同様の部分には同一符号を付している。本実施例では、未使用時の可視化ボード15の取扱性を向上させる手法について説明する。
【００３６】
図3に示すように、ここでは、1画面の液晶ディスプレイ9’に対して、遮蔽ボード挿入口26に代えて、可視化ボード15を未使用時に収納する収納口26’設けている。また、図4に示すように、ノートパソコン30’においても、液晶ディスプレイを1画面とし、遮蔽ボード挿入口26に代えて、可視化ボード15を未使用時に収納する収納口26’を設けるようにしている。あるいは、ノートパソコン本体38の底面側に図示しない収納口を設けるようにしている。
【００３７】
これにより、可視化ボード15の未使用時に可視化ボード15を収納できるので、可視化ボード15の収納場所を確保できるという面で取扱性が向上するし、可視化ボード15が痛みにくいというメリットもある。
【００３８】
実施例4
図5は、本発明の実施例4の液晶ディスプレイの斜視図である。図6は、本発明の実施例4のノートパソコンの斜視図である。なお、図5，図6において、図1A,図2Aと同様の部分には同一符号を付している。本実施例では、可視化ボード15の取扱性を向上させる手法について説明する。
【００３９】
実施例4においては、1画面の液晶ディスプレイ9’の薄型のディスプレイ筐体36のたとえば上面に、可視化ボード15を、蝶番の連結部15aを含む取付部15d等を介して取り付ける。そして、可視化ボード15の使用時には、可視化ボード15を特殊液晶パネル12の前面に位置させる。一方、可視化ボード15の未使用時の未使用時には、可視化ボード15を特殊液晶パネル12の背面に位置させる。
【００４０】
なお、ノートパソコン30’の未使用時にも、可視化ボード15を特殊液晶パネル12の前面に位置させてから、薄型のディスプレイ筐体36を、ノートパソコン本体38に対して閉じればよい。この際、可視化ボード15が動かないように、薄型のディスプレイ筐体36のたとえば横側に設けているストッパー15bで、可視化ボード15と薄型のディスプレイ筐体36側とを固定する。
【００４１】
また、薄型のディスプレイ筐体36の全面および背面には、それぞれ可視化ボード15の接触時の破損、痛みを防止するためのパッド15cを設けている。
【００４２】
これにより、可視化ボード15を抜き差しすることなく、可視化ボード15の使用時、未使用時に対応可能となるので、可視化ボード15の未使用時の収納先を特に確保する必要がなくなり、可視化ボード15の取扱性が向上する。特に、蓋13A,13Bの開閉および可視化ボード15を抜き差しが不要になるという点で、液晶ディスプレイ9’およびノートパソコン30’の操作性も向上する。
【００４３】
なお、本実施例では、取付部15dを、薄型のディスプレイ筐体36の上面に設ける場合を例に説明したが、薄型のディスプレイ筐体36のたとえば側面に設けるようにしてもよい。また、取付部15dは、蝶番の連結部15aを含むタイプだけに限定されず、たとえば、薄型のディスプレイ筐体36のたとえば上面に這わしたリング形状のパイプと、パイプにヒンジ接続あるいはパイプにスライドするように接続した可視化ボード15とを含むタイプにしてもよい。
【００４４】
さらに、特殊液晶パネル12の前面、あるいは背面に位置させた可視化ボード15が動かないように、可視化ボード15を特殊液晶パネル12に対して、磁石、クリップ、ストッパーなどを用いて固定するようにしてもよい。
【００４５】
以上、実施例3,4では、ノートパソコンを例に説明したが、たとえばノートタイプの個人用情報端末（Personal Digital(Data)Assistants<b>：</b>PDA）についても同様に適用することができる。また、キーボードに代えてタッチパネルを備えているタッチパネルタイプのPDAでは、たとえばタッチパネルと液晶パネルとの間に可視化ボードを着脱可能な構成とするとともに、抜き取った可視化ボードを収納する収納口をたとえばPDA本体の裏面に設ければよい。
【００４６】
実施例5
図7A〜図7Cは、本発明の実施例5の液晶ディスプレイの上面から見た断面図である。ここでは、1画面の液晶ディスプレイ9’の適用例を説明するが、図7A,図7Bの場合、1画面の液晶ディスプレイ9’のみならず、2画面の液晶ディスプレイ9に対しても適用可能である。
【００４７】
図7Aには、ディスプレイ筐体36内に収容されている液晶パネル100と、液晶パネル100の各側面に上下に亘り設けられているローラ101,102と、ローラ101,102によって回転可能な筒状の可視化／遮蔽フィルタ110と、液晶パネル100の前面に位置しており可視化／遮蔽フィルタ110が撓むことを防止するためのアクリル等の透過板103とを示している。
【００４８】
可視化／遮蔽フィルタ110は、可視化フィルタと遮蔽フィルタとを含み、ローラ101,102の回転により、液晶パネル100の前面に対して、可視化フィルタと遮蔽フィルタとのいずれか、あるいは可視化フィルタと遮蔽フィルタとの双方を位置させることができる。ローラ101,102は、手動で回転させてもよいし、モータなどを用いて回転させてもよい。透過板103は、ディスプレイ筐体36の前面と背面とにスライド可能である。透過板103は、手動でスライドさせてもよいし、モータなどを用いてスライドさせてもよい。
【００４９】
つぎに、図7Aの液晶ディスプレイの使用方法について説明する。液晶ディスプレイの使用時には、透過板103が、ディスプレイ筐体36の背面側にスライドされている。このため、可視化／遮蔽フィルタ110は、透過板103によって押さえられ、液晶パネル100前面側で撓まない。たとえば、このとき、液晶パネル100の前面側に、可視化／遮蔽フィルタ110のたとえば遮蔽フィルタが位置しているときに、可視化／遮蔽フィルタ110を回転させて、可視化フィルタを位置させたい場合には、まず透過板103をディスプレイ筐体36の前面側にスライドさせる。
【００５０】
つづいて、ローラ101,102を回転させ、可視化／遮蔽フィルタ110の遮蔽フィルタを、液晶パネル100の背面側に移動させるとともに、液晶パネル100の前面100側に可視化フィルタを移動させる。その後、透過板103を、ディスプレイ筐体36の背面側にスライドさせ、可視化／遮蔽フィルタ110の液晶パネル100前面側での撓みを防止する。このように、透過板103のスライドおよびローラ101,102の回転という少ない工程で、液晶パネル100に表示されている画像の視覚可能、視覚不可能を選択することができる。特に、可視化／遮蔽フィルタ110を直接人間がふれることがなくなるので、可視化／遮蔽フィルタ110に指紋、汚れなどが付着せず、ふき取り作業等が不要になる。また、外部から強い衝撃がかかっても、透過板103がその衝撃を緩和できるので、可視化／遮蔽フィルタ110が痛みにくいというメリットがある。
【００５１】
つぎに、図7Bの液晶ディスプレイについて説明する。図7Bに示す液晶ディスプレイは、図7Aの液晶ディスプレイのローラ101,102および透過板103に代えて、ディスプレイ筐体36の側面方向にスライド可能なローラ101’,102’を液晶パネル100の各側面に上下に亘り設けている。ローラ101’,102’のスライドについても、手動で行ってもよいしモータ等を用いて行ってもよい。また、ローラ101’,102’の双方ではなく、一方だけをスライド可能としてもよい。なお、図7Bにおいて、図7Aに示した部分と同様の部分には同一符号を付している。
【００５２】
つぎに、図7Bの液晶ディスプレイの使用方法について説明する。液晶ディスプレイの使用時には、ローラ101’,102’が、ディスプレイ筐体36の側面側にスライドされている。このため、可視化／遮蔽フィルタ110はピンと張られ、撓むことがない。液晶パネル100の前面側のフィルタを移動させるために、ローラ101’,102’を回転させようとするときには、ローラ101’,102’を回転前に相互に近づける方向にスライドさせればよい。また、ローラ101’,102’の回転が終了したら、ローラ101’,102’を相互に遠ざける方向にスライドさせればよい。
【００５３】
このように、ローラ101’,102’のスライドおよび回転という少ない工程で、液晶パネル100に表示されている画像の視覚可能、視覚不可能を選択することができる。特に、この際の操作対象がローラ101’,102’のみであるので、図7Aに示す液晶ディスプレイに比して、より操作性が向上する。
【００５４】
つぎに、図7Cの液晶ディスプレイについて説明する。図7Cに示す液晶ディスプレイは、図7Aの液晶ディスプレイの透過板103に代えて、液晶パネル100の背面に設けられておりディスプレイ筐体36の前面と背面とにスライド可能なローラ104を備えている。ローラ104のスライド、手動で行ってもよいしモータ等を用いて行ってもよい。なお、図7Cにおいて、図7Aに示した部分と同様の部分には同一符号を付している。
【００５５】
つぎに、図7Cの液晶ディスプレイの使用方法について説明する。液晶ディスプレイの使用時には、ローラ104が、ディスプレイ筐体36の背面側にスライドされている。このため、可視化／遮蔽フィルタ110はピンと張られ、撓むことがない。液晶パネル100の前面100側のフィルタを移動させるために、ローラ101,102を回転させようとするときには、ローラ101,102の回転前にローラ104をディスプレイ筐体36の前面側にスライドさせればよい。また、ローラ101,102の回転が終了したら、ローラ104をディスプレイ筐体36の背面側にスライドさせればよい。
【００５６】
このように、ローラ104のスライドおよびローラ101,102の回転という少ない工程で、液晶パネル100に表示されている画像の視覚可能、視覚不可能を選択することができる。特に、スライド機構がローラ104に付随するものだけで済む、すなわちスライド機構が一つだけで済むので、図7Bに示す液晶ディスプレイに比して、ローラ101,102側が回転機構だけでよくなるという製造容易化のメリットがある。
【００５７】
本実施例では、液晶パネル100の側面側にそれぞれローラ101,102等を設けた場合を例に説明したが、液晶パネル100の上下面側にそれぞれローラ101,102等を設けてもよい。また、本実施例では、液晶パネル100を照明する光源、反射板等の位置について特に言及しなかったが、可視化／遮蔽フィルタ110の筒内外のいずれに設置してもよい。
【００５８】
実施例6
図8A,図8Bは、図1A等に示す可視化メガネ16の変形例を示す図である。図8Aに示す可視化メガネ16’は、メガネレンズのたとえば中央部に偏向フィルタ15’を配した例を示している。これにより、可視化メガネ16’をかけている人の近くにいる人が、可視化メガネ16’越しに液晶ディスプレイをのぞき込むことを防止することができる。よって、より液晶ディスプレイに表示されている機密情報の内容の秘匿性が向上する。
【００５９】
また、図8Bに示す可視化メガネ16”は、可視化メガネ16”のつる側に、可視化メガネ16”越しに液晶ディスプレイをのぞき込むことを防止する、非透過材料からなる防止部材16aを備えている。この場合にも、図8Aに示す可視化メガネ16’と同様に、液晶ディスプレイに表示されている機密情報の内容の秘匿性が向上する。
【００６０】
なお、図8Aに示す可視化メガネ16’と図8Bに示す可視化メガネ16”とを組み合わせて、すなわち、メガネレンズのたとえば中央部に偏向フィルタ15’を配するとともに防止部材15aを備えることによって、更に機密情報の内容の秘匿性を向上させるようにしてもよい。
【００６１】
実施例7
図9は、本発明の実施例7の可視化媒体であるところのコンタクトレンズ200の模式図である。コンタクトレンズ200は、図1A等に示す可視化ボード14、可視化メガネ16および可視化カード17に代わる可視化媒体である。本実施例では、機密情報の内容の秘匿性に万全を期すという観点から、偏向フィルタ15を含むコンタクトレンズ200を可視化部材としている。
【００６２】
コンタクトレンズ200は、レンズ基材201と、レンズ基材201表面に形成した偏光層202と、偏向層202表面に形成した生体反応性を高める樹脂層203とを含む。
【００６３】
偏光層202は、図1Aで説明した偏向フィルタ15となる層である。樹脂層203は、活性エネルギー線硬化型で調光性を有していると好ましい。なお、偏光層202に、生体反応性を高めたり、活性エネルギー線硬化型で調光性を備えたりすることによって、樹脂層203を別段設けないようにしてもよい。
【００６４】
図9に示すように、コンタクトレンズ200を可視化媒体として用いると、そもそも、可視化メガネ16等のように、近くにいる人が、可視化メガネ16等越しに液晶ディスプレイをのぞき込むという事態がなくなるため、確実に機密情報の内容の秘匿性の担保が可能となる。
【００６５】
実施例8
図10は、本発明の実施例8の携帯電話システムの模式的な構成例である。図10には、第1筐体430および第2筐体440を含む携帯電話機400を示している。第1筐体430には特殊液晶パネルを含む液晶ディスプレイ420およびスピーカが備えられている。第2筐体440にはストラップ取付部410、入力キーおよびマイクロフォンが備えられている。
【００６６】
ストラップ取付部410には、可視化ストラップ500を取り付けている。可視化ストラップ500は、液晶ディスプレイ420前面に重ねることで液晶ディスプレイ420の表示内容を可視化する可視化ボード520と、可視化ボード520を支持する支持部510と、支持部510に取り付けられた吊りひも部530とを含む。
【００６７】
ここでは、可視化ボード520の大きさを、液晶ディスプレイ420と同様の大きさにしているが、これよりも大きくてもよいし、小さくてもよい。さらに、可視化ボード520が痛まないようにするために、可視化ストラップ500にカバーを含めてもよい。
【００６８】
液晶ディスプレイ420の表示内容を見たいときには、可視化ストラップ500の支持部510を持って、可視化ボード520を液晶ディスプレイ420に重ね合わせればよい。こうすれば、可視化ボード520越しに液晶ディスプレイ420の表示内容を見ることができる。
【００６９】
本実施例では、携帯電話機400に、可視化ストラップ500という態様で、可視化ボード520を取り付けているので、可視化媒体の収納について考慮する必要もない。なお、可視化ストラップ500に代えて、たとえば携帯性に優れる、ネックレスタイプの可視化媒体として、携帯電話機400と一体とせずに携帯するようにしてもよい。
【００７０】
特に、可視化媒体を、携帯電話機400と一体とせずに携帯すると、携帯電話機400を紛失した場合にも、可視化媒体がないと携帯電話機400に登録してある電話番号を含む各種情報を、他人が見ることができないので、その各種情報が漏洩する可能性が低いというメリットがある。
【００７１】
また、携帯電話システムは、以下のようにしてもよい。すなわち、可視化ストラップ500は、可視化ボード520を支持部510から着脱可能とする。携帯電話機400は、液晶ディスプレイ420前面に可視化ボード520を受ける可視化ボード受けを設ける。
【００７２】
携帯電話機400を通常の態様で使用する時には、可視化ボード受けに可視化ボード520を装着しておく。そして、他人に見せたくない情報を液晶ディスプレイ420に表示させる時には、可視化ボード受けに装着している可視化ボード520を取り外し、支持体510に装着する。こうすると、さらに使い勝手がよい携帯電話システムが実現できる。なお、この場合にも、可視化媒体は、ネックレスタイプとしもよい。
【図面の簡単な説明】
【００７３】
【図１Ａ】本発明によるデスクトップ型の2画面液晶ディスプレイの正面斜視図である。
【図１Ｂ】本発明によるデスクトップ型の2画面液晶ディスプレイの背面斜視図である。
【図１Ｃ】可視化ボード挿入口から可視化ボードが半分挿入されている本発明によるデスクトップ型の2画面液晶ディスプレイの図である。
【図２Ａ】本発明による2画面液晶ディスプレイが取り付けられたノートパソコンの正面斜視図である。
【図２Ｂ】本発明による2画面液晶ディスプレイが取り付けられたノートパソコンの背面斜視図である。
【図２Ｃ】本発明による2画面液晶ディスプレイが取り付けられたノートパソコンが閉じられた状態を示す図である。
【図２Ｄ】本発明による2画面液晶ディスプレイが取り付けられたノートパソコンの一態様例を示す。
【図３】本発明の実施例3の液晶ディスプレイの斜視図である。
【図４】本発明の実施例3のノートパソコンの斜視図である。
【図５】本発明の実施例4の液晶ディスプレイの斜視図である。
【図６】本発明の実施例4のノートパソコンの斜視図である。
【図７】本発明の実施例5の液晶ディスプレイの上面から見た断面図である。
【図８】図1A等に示す可視化メガネの変形例を示す図である。
【図９】本発明の実施例7の可視化媒体であるところのコンタクトレンズの模式図である。
【図１０】本発明の実施例8の携帯電話システムの模式的な構成例である。
【符号の説明】
【００７４】
1A…液晶パネル
1B…液晶パネル
4…2画面液晶ディスプレイ
6…支持部
7…回転軸
8…ベース
9…2画面液晶ディスプレイ
10…ディスプレイ筐体
12…特殊液晶パネル
13…蓋
14…可視化ボード
15…偏光フィルタ
16…可視化メガネ
17…可視化カード
18…特殊液晶パネルの表示部分
20…可視化ボード挿入口
22…通常液晶パネル
24…遮蔽ボード
26…遮蔽ボード挿入口
30…ノートパソコン
36…薄型のディスプレイ筐体
37…フック
38…ノートパソコン本体
39…入力キー
【図１Ａ】
2004280042.tif 000003
【図１Ｂ】
2004280042.tif 000004
【図１Ｃ】
2004280042.tif 000005
【図２Ａ】
2004280042.tif 000006
【図２Ｂ】
2004280042.tif 000007
【図２Ｃ】
2004280042.tif 000008
【図２Ｄ】
2004280042.tif 000009
【図３】
2004280042.tif 000010
【図４】
2004280042.tif 000011
【図５】
2004280042.tif 000012
【図６】
2004280042.tif 000013
【図７】
2004280042.tif 000014
【図８】
2004280042.tif 000015
【図９】
2004280042.tif 000016
【図１０】
2004280042.tif 000017